(57)【要約】      （修正有）【課題】ブラジャー、アクセサリー、ボディースーツなどを衣類のテープ、ストラップなどに取り付ける金具が、ストラップ部分に装着自在に懸け止めでき、安定的に外れ難いようにした止め装置を提供する。【解決手段】衣類に取り付けられた金具１はロ字状にして左右対向辺２，２と、この対向辺を中央部で結ぶ押さえ体３と、該押さえ体の上下に間隔を設け且つ互いの先端部に間隙４，４を設けた一対の阻止片５，５及び５，５と、前記左右対向辺２，２の何れか一方の辺に設けた通し孔６とより構成する。前記金具１は、金属の薄板よりなり、例えば、上下幅１３ｍｍ．、横幅２１ｍｍ．程度を有し、前記通し孔６は１０ｍｍ．×２ｍｍ．程度の小さな貫通孔となっている。前記金具１に装飾用の紐或いはテープを取り付け、紐或いはテープは前記金具１の通し孔６を貫通して止着される。【選択図】図１
0003169324.tif 000002
【実用新案登録請求の範囲】
【請求項１】
装飾用の紐、ブラジャー、ボディースーツなどの衣類に取り付けられた金具であって、該金具は、ロ字状にして左右対向辺と、この対向辺を中央部で結ぶ押さえ体と、該押さえ体の上下に間隔を設け且つ、互いの先端部に間隙を設けた阻止片と、前記左右対向辺の一方の辺に設けた通し孔とより構成したことを特徴とせる衣服などの止め装置。
【請求項２】
前記通し孔は、装飾用の紐或いはブラジャーなどの紐その他の衣服の取り付け部に装着され、前記押さえ体と阻止片との間隙には引っ掛け部材を懸け止めするようにした前記請求項１記載の衣服などの止め装置。
【考案の詳細な説明】
【技術分野】
【０００１】  本考案は、装飾用アクセサリーの紐、ボディースーツなどの衣類のテープなどに取り付けられた金具を、ストラップ部分に装着自在に懸け止めし、安定的に外れ難いようにしたものである。
【背景技術】
【０００２】  従来から知られている金具付の止め装置は、一般的なブラジャーとして一対のカップ部と、これらを人体に装着するバック部と、該バック部と前記カップ部をつなぎ人体の肩にかける肩紐と、からなっており（例えば特開平９−３１７１１に記載の図）、通常には肩紐を人体に合うようにその長さを調節して、肩に通し更に、バック部の先端に設けた一対のフックを掛け止めして人体に装着する。【０００３】  更には、取り付け用金具を装着したものとして、本考案者に係る考案として、実願２００７−００４２６１が存在するが、掛け具としては充分満足を得ることが出来ず、使用時に問題を提起することとなっていた。
（０００４）
更には、肩紐とバックを人体の背中部分でＸ字状にクロス結合して、肩紐の外方への広がりを防止したものも知られている。
【考案の開示】
【考案の解決しようとする課題】
【０００５】  上記従来技術による一般的なブラジャーの止め装置は、人体に装着した時には肩紐が肩から外れ易く、その長さを調節するには手間を必要とし、Ｘ字状にクロス結合する方式は、ブラジャーの着脱が面倒で時間を必要とした。
【０００６】  本考案は、このような課題を解決し、人体への装着、取り外しを迅速且つ容易にして、装着後は肩紐が肩から脱落することのないようにしたものである。
【課題を解決するための手段】
【０００７】  本考案は、装飾用の紐、ブラジャー、ボディースーツなどの衣類に取り付けられた金具であって、該金具は、ロ字状にして左右対向辺と、この対向辺を中央部で結ぶ押さえ体と、該押さえ体の上下に間隔を設け且つ、互いの先端部に間隙を設けた阻止片と、前記左右対向辺の一方の辺に設けた通し孔とよりなることを特徴とする。
【０００８】  更に、前記通し孔は、装飾用の紐或いはブラジャーなどの紐その他の衣服の取り付け部に装着され、前記押さえ体と阻止片との間隙には引っ掛け部材を懸け止めするようにしたことを特徴とする。
【０００９】  本考案は、装飾用の紐、飾り付きチェーンなどの端に取り付けたり、ボディースーツ、キャミソールなどのストラップ部分に取り付けて使用する金具に関するもので、それ以外にも幅広く用途を備え、肩などからの脱落を防止するものである。
【００１０】  本考案は、引っ掛け部材を多用途に適合した懸け止めするように構成しており、幅広い用途に提供するようにしたものである。
【考案の効果】
【００１１】  本考案の衣服などの止め装置は、装飾用の紐、ブラジャー、ボディースーツなどの衣類に取り付けられた金具であって、ロ字状にして通し孔と押さえ体、阻止片、によりストラップ部分に容易に取り付けることが出来るようにしたものである。
【００１２】  更には、前記装飾用の紐、飾り付きチェーンなどの端部に取り付けると、おしゃれなアクセサリーの一部としても使用が可能になり、ストラップずれ落ち防止テープとしての効果もある。
【００１３】  また、ブラジャーのストラップの後ろ側端に取り付け、ブラジャー本体の後身頃に取り付けたテープに止めると、着用者の体型に合わせた位置にストラップをつけることが出来、ストラップのずれ落ち防止効果の高い商品となる。
【考案を実施するための最良の形態】
【００１４】  本考案の衣類などの止め装置を図１乃至図９に基づいて説明する。
図１は、本考案に使用される金具の斜面図、
図２は、本考案の要部となる金具をストラップに止めつけた状態の要部正面図、
図３は、同じく要部背面図、
図４は、ブラジャーのストラップにアクセサリーとして取り付け人体に装着した斜面図、
図５は、ブラジャーのストラップに谷間隠し布として人体に装着した斜面図、
図６は、ブラジャーのストラップ端部に金具をつけて人体に装着した背面からの斜面図、
図７は、キャミソールのストラップにアクセサリーとして取り付けた斜面図、
図８は、汗取りパッドに金具を取り付け人体に着用した斜面図、
図９は、本考案を汗取りパッドに装着した正面図である。【００１５】  本考案は、装飾用の紐、ブラジャー、ボディースーツなどの衣類に取り付けられた金具１に関するものであって、該金具はロ字状にして左右対向辺２，２と、この対向辺を中央部で結ぶ押さえ体３と、該押さえ体の上下に間隔を設け且つ互いの先端部に間隙４，４を設けた一対の阻止片５，５及び５，５と、前記左右対向辺２，２の何れか一方の辺に設けた通し孔６とより構成されている。【００１６】  前記金具１は、金属の薄板よりなり、実施例によれば、上下幅１３ｍｍ．、横幅２１ｍｍ．程度を有し、前記通し孔６は１０ｍｍ．×２ｍｍ．程度の小さな貫通孔となっている。【００１７】  図２、図３には、前記金具１に装飾用の紐或いはテープ７が取り付けられた状態を示しており、この紐或いはテープ７は前記金具１の通し孔６を貫通して止着される。【００１８】  前記のように止められた金具１は、阻止片５，５間の間隙４を通過してストラップ８に図面の上下方向に移動可能に止められ、所望の位置に止められる。【００１９】  図４に示されたのは、ブラジャー９の上部にアクセサリー１０を配置し、該アクセサリーの両端に設けた金具１，１を前記図２と同様にストラップ８、８に止められる。【００２０】  図５には、前記金具１，１は谷間隠し布１１の頂部両側に固定され前記図２と同様にストラップ８，８に止められる。【００２１】  図６には、ブラジャー９に肩紐となるストラップ８，８の端部に金具１，１が設けられ、人体の背中に位置するＸ字状のストラップ１２，１２に止められる。【００２２】  図７は、キャミソール１３のストラップ８，８にアクセサリー１０に設けた金具１，１を掛け止めしたもので、詳しくは図２のように取り付ける。【００２３】  図８，９は、汗取りパッド１４に金具１，１を取り付けたもので、該金具はブラジャー９の肩紐（ストラップ）８に取り付けられ、前記汗取りパッド１４が人体の脇の下に配置される。【００２４】  図中、人体を図番１５で表している。
【図面の簡単な説明】
【００２５】
【図１】  本考案の主要部を構成する金具の斜面図
【図２】  本考案の金具をストラップに取り付けた要部正面図
【図３】  図２を裏側より見た背面図
【図４】  アクセサリーに金具をつけ、ブラジャーに装着した斜面図
【図５】  谷間隠し布に金具をつけて人体に装着した斜面図
【図６】  ブラジャーの使用例を示す背面からの斜面図
【図７】  キャミソールにアクセサリーをつけた斜面図
【図８】  金具を汗取りパッドにつけ人体に装着した斜面図
【図９】  汗取りパッドの正面図
【符号の説明】
【００２６】  １      金具
２、２  金具の対向辺
３      金具の押え体
４、４  金具の間隙
５、５  金具の阻止片
６      金具の通し孔
７      紐若しくはテープ
８      ストラップ
９      ブラジャー
１０  アクセサリー
１１  谷間隠し布
１２  Ｘ字状ストラップ
１３  キャミソール
１４  汗取りパッド
１５  人体
【図１】
0003169324.tif 000003
【図２】
0003169324.tif 000004
【図３】
0003169324.tif 000005
【図４】
0003169324.tif 000006
【図５】
0003169324.tif 000007
【図６】
0003169324.tif 000008
【図７】
0003169324.tif 000009
【図８】
0003169324.tif 000010
【図９】
0003169324.tif 000011